(57)【要約】      （修正有）【課題】吸気装置を着脱自在にして乾燥作業の効率を高める穀類収納袋の換気装置を提供する。【解決手段】穀類収納袋の換気装置において、上端が開口した一定長のパイプ１の周壁に、所定の長さにわたり穀類が通過し得ない大きさの多数の細孔２を貫設するとともに、前記パイプの下端は先細り状に閉止したテーパー部３を形成し、このテーパー部の側斜面から開始しパイプの周壁面の途中にかけてらせん状のスクリュー羽根４を連続して設け、穀類を収納した穀類収納袋の中央部分に、前記パイプの上端開口部を上方に突出させた状態でほぼ直角に深く埋設可能とし、このパイプの上端開口部には、適宜な着脱機構を介して吸気装置６を着脱自在に取り付ける。【選択図】図１
0003159988.tif 000002
【実用新案登録請求の範囲】
【請求項１】
上端が開口した一定長のパイプの周壁に、所定の長さにわたり穀類が通過し得ない大きさの多数の細孔を貫設するとともに、前記パイプの下端は先細り状に閉止したテーパー部を形成し、このテーパー部の側斜面から開始しパイプの周壁面の途中にかけてらせん状のスクリュー羽根を連続して設け、穀類を収納した穀類収納袋の中央部分に、前記パイプの上端開口部を上方に突出させた状態でほぼ直角に深く埋設可能とし、このパイプの上端開口部には、適宜な着脱機構を介して吸気装置を着脱自在に取り付けることを特徴とする穀類収納袋における換気装置。
【請求項２】
上記吸気装置は、下端に空気取込口を有し、多数の回転翼を持つシロッコ型ファンと、その駆動モーターと、横方向の空気排出口とからなる吸気装置である請求項１記載の穀類収納袋における換気装置。
【請求項３】
上記吸気装置の着脱機構が、吸気装置の下端の空気取込口の径をパイプの上端開口の径より僅かに小さくし、該開口に陥入・嵌着するようにしたものである請求項１又は請求項２記載の穀類収納袋における換気装置。
【請求項４】
上記吸気装置の着脱機構が、吸気装置の下端の空気取込口をテーパー状に縮径してパイプ開口部に陥入・嵌着するようにしたものである請求項１又は請求項２記載の穀類収納袋における換気装置。
【請求項５】
上記吸気装置の着脱機構が、吸気装置の下端の空気取込口の外周に係止ピンを突設すると共に、パイプの上端縁にはこの係止ピンが係合するようなＬ字状の係合溝を設け、僅かな角度だけ回転させることで、互いに係着するようにしたものである請求項１又は請求項２記載の穀類収納袋における換気装置。
【請求項６】
上記吸気装置の着脱機構が、吸気装置の下端の空気取込口の下面とパイプの上端縁にそれぞれフランジを設け、ボルト・ナットで固着するようにしたものである請求項１又は請求項２記載の穀類収納袋における換気装置。
【請求項７】
上記先細り状のテーパー部の先端角度が鋭角である請求項１から請求項６のいずれか１項記載の穀類収納袋における換気装置。
【考案の詳細な説明】
【技術分野】
【０００１】
この考案は、コンバインによって収穫される生籾等の穀類を、直接大型の穀類収納袋に収容した際に、穀類の内部昇温によって発生するムレを防止する換気装置に関するものである
【背景技術】
【０００２】
近年、コンバインによって生籾等を収穫する場合、従来の収容量が３０〜４０kg範囲の小型の穀類収納袋に代えて、コンバインに内蔵されたタンクに貯蔵される７００〜１，０００kgもの生籾を一気に移し換え可能な大型の穀類収納袋を使用して、収穫効率の向上を図ることが行われている。
【０００３】
そして、この穀類収納袋としては、直径が１．２ｍ、高さ１．３ｍ程の大きさの袋体が広く用いられている。また、刈り取られた生籾が充満した収納袋は、そのまま自家の乾燥機または地域のライスセンター等に搬入して乾燥させた上で保存するという手段が採用されている。
【０００４】
一般に刈り取られた生籾の含水分は２８％前後と高く、かかる多量の水分を含んだ生籾を収納した収納袋は、内部通気がほとんど得られないことから、特に農繁期などでは、生籾を上記収納袋に収納した状態で数時間にも及ぶ乾燥待ちを余儀なくされることもあり、この間に収納袋の中心部分の生籾は、内部の温度上昇によるムレが発生し、精米した場合の変色や割米の原因となり、ときには発芽してしまうこともあり、商品価値を大きく低下させるという問題があった。
【０００５】
そこで、この問題を解決する目的で、本願考案者は、特許文献１に開示されるような有孔パイプからなる換気装置を提案している。即ち、上端を開口し、下端を先細り状のテーパー面とした一定長さのパイプの周壁に、生籾が通過し得ない大きさの多数の細孔を貫設し、このパイプを上記収納袋の中心部分における底部から上方に突出した状態で深く埋入させるようにして換気装置を構成し、ムレの発生しやすい収納袋の内部の換気を促進して、温度上昇を抑制するようにしたものである。また、パイプの上端開口部分に空気吸引用のファンを装着して、収納袋内に籠もる湿潤空気を強制的に排出することも行っている。
【０００６】
上記構成の換気装置は、上端開口を露出させた状態で、生籾が充満した収納袋の中心部分に深く埋入させることによって、温度上昇が高く、水分の蒸散が盛んな部分の空気をパイプ周壁の細孔から導入し、それを自然対流により、または、ファンを介して外部に排出し、この部分の生籾のムレを確実に抑制できるものである。
【先行技術文献】
【特許文献】
【０００７】
【特許文献１】実開平７−１２８８５号公報
【考案の概要】
【考案が解決しようとする課題】
【０００８】
しかしながら、上記特許文献１に記載の換気装置は、下端を先細り状のテーパー面とするか、或いは、そのテーパー面のみに小さなスクリュー羽根を取り付けたものであったから、大量の生籾を収容した収納袋の開口面からその先端部を埋入させようとする際、先端部は比較的容易に埋入するが、回転させながら進行させるに従って、パイプ周壁の抵抗によりその進行が妨げられ、収納袋の底部まで完全に埋設させるには、多大な労力を必要としていた。
【０００９】
また、その場合、この換気装置は垂直に近い方向に進行させて埋設することが好ましいが、従来のものは、その回転ハンドルが、水平横方向に一対、即ち互いに１８０度の方向に２本のハンドル棒が突出して設けられているだけであったから、一度に１８０度ずつ回転させなければならず、その回転操作が面倒であるとともに、併せて垂直方向を維持するために、熟練を要するものであった。
【００１０】
このため、その進行を補助するものとして、図５に示すように、パイプの周壁にのみスクリュー羽根を設けたものも提案されているが、この場合、先端部のテーパー面に羽根がないため、その進行方向にブレが生じやすく、垂直方向を維持しながら埋入させることが困難であった。
【００１１】
さらに、乾燥待ちの収納袋が多数ある場合、特にパイプの上端開口部にファンを装着したこの種の換気装置を多数用意することは、その数だけ電源を用意しなければならず、現実的でなく、不経済でもあった。
【００１２】
本考案は、上記諸課題に鑑みて考案をしたものであって、簡単な操作で、かつ、確実に、収納袋の中央部分においてパイプを垂直方向に埋入させることができるようにしたものである。さらに、多数の収納袋を乾燥させる場合にも、使用するファンの数を減少させて、経済的且つ効率的に乾燥作業ができる穀類収納袋における換気装置を提案するものである。
【課題を解決するための手段】
【００１３】
上記諸課題を解決するため、本考案は、穀類収納袋における換気装置として、上端が開口した一定長のパイプの周壁に、所定の長さにわたり穀類が通過し得ない大きさの多数の細孔を貫設するとともに、前記パイプの下端は先細り状に閉止したテーパー部を形成し、このテーパー部の側斜面から開始しパイプの周壁面の途中にかけてらせん状のスクリュー羽根を連続して設け、穀類を収納した穀類収納袋の中央部分に、前記パイプの上端開口部を上方に突出させた状態でほぼ直角に深く埋設可能とし、このパイプの上端開口部には、適宜な着脱機構を介して吸気装置を着脱自在に取り付けるという手段を採用した。かかる構成により、パイプは収納袋の中央部分に直角に深く埋設可能であり、吸気装置を取り付けて駆動することにより、収納袋内の湿潤な空気を強制的に吸引、排出するものである。
【００１４】
そして、上記吸気装置は、下端に空気取込口を有し、多数の回転翼を持つシロッコ型ファンと、その駆動モーターと、横方向の空気排出口とからなる吸気装置であるという手段を採用した。
【００１５】
そして、上記吸気装置の着脱機構が、吸気装置の下端の空気取込口の径をパイプの上端開口の径より僅かに小さくし、該開口に陥入・嵌着するようにしたものであるという手段を採用した。
【００１６】
また、上記吸気装置の着脱機構が、吸気装置の下端の空気取込口をテーパー状に縮径してパイプ開口部に陥入・嵌着するようにしたものであるという手段を採用した。
【００１７】
また、上記吸気装置の着脱機構が、吸気装置の下端の空気取込口の外周に係止ピンを突設すると共に、パイプの上端縁にはこの係止ピンが係合するようなＬ字状の係合溝を設け、僅かな角度だけ回転させることで、互いに係着するようにしたものであるという手段を採用した。
【００１８】
さらに、上記吸気装置の着脱機構が、吸気装置の下端の空気取込口の下面とパイプの上端縁にそれぞれフランジを設け、ボルト・ナットで固着するようにしたものであるという手段を採用した。
【００１９】
これらの着脱機構により、吸気装置が着脱自在となり、乾燥の作業効率を向上させるものである。
【００２０】
一方、上記先細り状のテーパー部の先端角度が鋭角であるという手段も採用した。
【００２１】
これにより、パイプを収納袋に収納した穀類に埋入し易くなる。
【考案の効果】
【００２２】
上記構成に係る本考案の換気装置は、収納袋内に籠もる空気を排出する吸気装置を着脱自在に取り付けるようにしたので、多数の乾燥待ちの収納袋がある場合に、個々の収納袋にはパイプのみを埋設しておき、順次吸気装置を取り付けて乾燥作業を行うことができる。そのため、多数の吸気装置を必要とせず、乾燥装置全体のコストを軽減することが可能となった。また、多数の電源装置を用意しなくてよいから、その点でも経済的である。
【００２３】
また、吸気装置が着脱自在であるため、パイプを収納袋に埋設する際には、重量のある吸気装置を外した状態でできるから、埋設作業が容易であり、効率的な作業を行うことができるという優れた効果が期待できる。
【００２４】
さらに、パイプの下端を先細り状に閉止したテーパー部を形成し、このテーパー部の側斜面から開始しパイプの周壁面の途中にかけてらせん状のスクリュー羽根を連続して設けているので、その設置の際、テーパー部のスクリュー羽根は、鋭角部分と相乗的に作用した、パイプを真っ直ぐに進行させることができる。そのため、パイプを収納袋の中心部分に埋設することができるから、換気作用が収納袋全体に均等に作用して、内部のムレの発生を防止し、穀類の変色や割れを確実に防止して、商品価値を維持できるという格別の効果も期待できるものである。
【図面の簡単な説明】
【００２５】
【図１】本考案に係る穀類収納袋における換気装置の一例を示す斜視図である。
【図２】本装置の使用例を示す斜視図である。
【図３】吸気装置の着脱機構の例を示す部分斜視図である。
【図４】複数の収納袋に使用する場合の例を示す説明図である。
【図５】従来の乾燥装置のスクリュー羽根の態様を示すものである。
【考案を実施するための形態】
【００２６】
以下、本考案に係る穀類収納袋における換気装置の好ましい実施形態を、添付した図面に従って説明する。
【００２７】
図１に示した全体斜視図において、１は、金属製または硬質の合成樹脂製のパイプであり、その周壁には、所定の長さ（領域）にわたり多数の細孔２、２・・・を貫設している。この細孔２の孔径は、収納袋（Ｂ）に収納する穀類（例えば生籾。）の種類によって、その穀類が通過し得ない程度の大きさとする。また、パイプ１の周壁に設ける細孔２の領域は、少なくとも収納袋（Ｂ）に収納する穀類に対する挿入深さ以上の長さにわたって設けるものとする。
【００２８】
３は、上記パイプ１の下端に形成する先細り状に閉止したテーパー部であり、その先端角度は９０度よりかなり小さい鋭角とする。４は、らせん状のスクリュー羽根であり、上記テーパー部３の側斜面からパイプ１の胴部の周壁面の途中に連続して設けている。このようにパイプ１の下端に鋭角状のテーパー部３を形成するのは、収納袋（Ｂ）に収納した穀類の上面中心部分にパイプ１を挿入する際に、挿入しやすくするためであり、さらにスクリュー羽根４を広範囲に設けたのは、先端がぶれることなく垂直方向に、回転しながら深く進行するようにするためである。即ち、テーパー部３のスクリュー羽根４は、鋭角部分と相乗的に作用して、パイプ１を真っ直ぐに進行させる作用を奏し、胴部面のスクリュー羽根４は、回転によりパイプ１を確実に前進させる作用を奏するものである。
【００２９】
なお、５、５・・は、上記パイプの上位端部近傍に着脱自在に取り付けるパイプ回転用のハンドルであり、少なくとも互いに９０度の角度をもって放射状に突出して４本設けている。このハンドルのそれぞれの長さは、操作性を考慮すれば、パイプ１の直径に比べて少なくともその長さの２倍以上３倍以下とすることが好ましい。これにより、操作時に大きな回転トルクを得ることができると共に、一度に９０度ずつ回転させればよいから、パイプ１の挿入作業が正確に、かつ、小さな力で楽に行えるようになる。ただし、かかる構成は必要に応じて採用するものであり、従来のように２本のハンドルを互いに１８０度の角度で設けたものであってもよい。
【００３０】
また、６は、パイプ１の上端開口１ａに取り付ける吸気装置である。この吸気装置は、適宜な着脱機構を介して着脱自在に取り付けるものであるが、装着時にはパイプ１の内部が密閉状態となるように取り付ける。図では、下端に空気取込口６ａを有し、多数の回転翼を持つシロッコ型ファンと、その駆動モーターと、横方向の空気排出口とからなる吸気装置を用い、吸気装置の下端の空気取込口６ａの径を上記パイプの上端開口の径より僅かに小さくし、該開口に陥入・嵌着するように取り付けている。この吸気装置６により、パイプ１内の空気を強制的に排出し、換気機能を向上させる。なお、吸気装置の下端の空気取込口６ａをテーパー状に縮径してパイプ開口部に陥入・嵌着するようにしてもよい。
【００３１】
なお、上記パイプ１の直径は、例えば、５〜１０cm前後の比較的細めのものであれば挿入しやすいという利点があるが、それ以上の直径とすることもあり、特に限定するものではない。収納袋の大きさに応じて適宜選択できる。また、吸気装置６も、図示したシロッコ型ものに限定するものではなく、パイプ内の空気を強制的に排出できるものであればよい。さらに、この吸気装置６は、例えばスイッチ操作によって駆動モーターを逆転させ、外気を強制的にパイプ内に送り込んで、収納袋の内側から外方に空気を流通させるようにしてもよい。
【００３２】
また、吸気装置６を着脱自在に取り付ける構成としては、図示した方法のほか、例えば、図３（Ａ）に示すように、吸気装置の下端の空気取込口の外周に係止ピンを突設すると共に、パイプの上端縁にはこの係止ピンが係合するようなＬ字状の係合溝を設け、僅かな角度だけ回転させることで、互いに係着するようにしてもよい。或いは、同図（Ｂ）に示すように、吸気装置の下端の空気取込口の下面とパイプの上端縁にそれぞれフランジを設け、ボルト・ナットで固着するようにしてもよい。要するに、着脱機構としては、従来公知の種々の構造を、必要に応じて適宜採用することができ、パイプ内が，密閉状態となり、かつ、容易に着脱できる構造であればよい。
【００３３】
上記構成の本考案に係る換気装置は、収納袋（Ｂ）に収納した穀類の上面の中心部分において、ハンドル５の回転操作により垂直方向に挿入埋設する。そして吸気装置６を作動させると、収納袋（Ｂ）の中心部分における湿潤空気をパイプ１の周壁の細孔２からパイプ１内に導入し、これを吸気装置６によって強制的に吸引、排出するものである。そのため、穀類の温度上昇によって生じる内部のムレを確実に防止できるようになり、商品価値を損なうことがないという格別の効果を得ることができる。また、上述したように、駆動モーターを逆転させて、外気を収納袋内に送り込んで穀類を乾燥させることもできる。
【００３４】
さらに、本考案においては、吸気装置６を着脱自在に取り付ける構成を採用しているので、図４に示すように、多数の乾燥待ちの収納袋がある場合、個々の収納袋にはパイプ１のみを埋設しておき、自然対流による乾燥を行うとともに、順次吸気装置６を取り付けて強制的な吸引、排気を行うことができる。
【００３５】
このようにすれば、個々のパイプそれぞれに吸気装置を設けることに比べ、１つの吸気装置のみを用意すればよいから、換気装置全体のコストが軽減される。さらに、多くの電源を必要としないから、その点でも経済的である。また、比較的重量のある吸気装置を取り付けない状態で、軽量なパイプのみを収納袋の穀類に挿入埋設することができるから、作業が容易となる利点もある。
【符号の説明】
【００３６】
１    パイプ
２    細孔
３    テーパー部
４    スクリュー羽根
５    ハンドル
６    吸気装置
【図１】
0003159988.tif 000003
【図２】
0003159988.tif 000004
【図３】
0003159988.tif 000005
【図４】
0003159988.tif 000006
【図５】
0003159988.tif 000007
【手続補正書】
【提出日】平成22年3月26日(2010.3.26)
【手続補正１】
【補正対象書類名】実用新案登録請求の範囲
【補正対象項目名】全文
【補正方法】変更
【補正の内容】
【実用新案登録請求の範囲】
【請求項１】
上端が開口した一定長のパイプの周壁に、所定の長さにわたり穀類が通過し得ない大きさの多数の細孔を貫設するとともに、前記パイプの下端は先細り状に閉止したテーパー部を形成し、このテーパー部の側斜面から開始しパイプの周壁面の途中にかけてらせん状のスクリュー羽根を連続して設け、穀類を収納した穀類収納袋の中央部分に、前記パイプの上端開口部を上方に突出させた状態でほぼ直角に深く埋設可能とし、このパイプの上端開口部には、適宜な着脱機構を介して吸気装置を着脱自在に取り付けることを特徴とする穀類収納袋における換気装置。
【請求項２】
上記吸気装置は、下端に空気取込口を有し、多数の回転翼を持つシロッコ型ファンと、このシロッコ型ファンの駆動モーターと、横方向の空気排出口とからなる吸気装置である請求項１記載の穀類収納袋における換気装置。
【請求項３】
上記吸気装置の着脱機構が、吸気装置の下端の空気取込口の径をパイプの上端開口の径より僅かに小さくし、該開口に陥入・嵌着するようにしたものである請求項１又は請求項２記載の穀類収納袋における換気装置。
【請求項４】
上記吸気装置の着脱機構が、吸気装置の下端の空気取込口をテーパー状に縮径してパイプ開口部に陥入・嵌着するようにしたものである請求項１又は請求項２記載の穀類収納袋における換気装置。
【請求項５】
上記吸気装置の着脱機構が、吸気装置の下端の空気取込口の外周に係止ピンを突設すると共に、パイプの上端縁にはこの係止ピンが係合するようなＬ字状の係合溝を設け、僅かな角度だけ回転させることで、互いに係着するようにしたものである請求項１又は請求項２記載の穀類収納袋における換気装置。
【請求項６】
上記吸気装置の着脱機構が、吸気装置の下端の空気取込口の下面とパイプの上端縁にそれぞれフランジを設け、ボルト・ナットで固着するようにしたものである請求項１又は請求項２記載の穀類収納袋における換気装置。
【請求項７】
上記パイプの下端に形成したテーパー部の先端角度が鋭角である請求項１から請求項６のいずれか１項記載の穀類収納袋における換気装置。
【手続補正２】
【補正対象書類名】明細書
【補正対象項目名】００１４
【補正方法】変更
【補正の内容】
【００１４】
そして、上記吸気装置は、下端に空気取込口を有し、多数の回転翼を持つシロッコ型ファンと、このシロッコ型ファンの駆動モーターと、横方向の空気排出口とからなる吸気装置であるという手段を採用した。
【手続補正３】
【補正対象書類名】明細書
【補正対象項目名】００２０
【補正方法】変更
【補正の内容】
【００２０】
一方、上記パイプの下端に形成したテーパー部の先端角度が鋭角であるという手段も採用した。